【事件の表示】
　特願２００９−５３０６９３「ビーコン信号における情報の符号化」拒絶査定不服審判事件〔平成１９年１２月２１日国際公開、ＷＯ２００７／１４７１０７、平成２２年　２月１２日国内公表、特表２０１０−５０４７２１〕について、次のとおり審決する。
【結　論】
　本件審判の請求は、成り立たない。
【理　由】
　
１．手続の経緯
　
　本願は、２００７年６月１５日を国際出願日（パリ条約による優先権主張外国庁受理２００６年６月１６日、米国及び２００６年６月１６日、米国）とする出願であって、平成２３年６月２３日付けで拒絶理由が通知され、平成２３年１２月２８日付けで手続補正がなされ、平成２４年４月４日付けで拒絶査定がされ、平成２４年８月１０日に拒絶査定不服審判が請求され、平成２５年７月１１日付けで当審が拒絶理由を通知し、平成２５年１２月１６日付けで手続補正がなされたものである。
　
　
２．本願発明
　
　請求項１について
　
　請求項１に係る発明は、平成２５年１２月１６日付け手続補正書の特許請求の範囲の請求項１に記載された次のとおりのものと認める。（以下、「本願発明」という）
　
「(a1)予め決められた一組の帯域幅自由度を用いて一組のブロードキャスト情報ビットを送信する方法であって、
　(a2)複数のブロードキャスト情報ビットからブロードキャスト情報ビットの第１の部分組及びブロードキャスト情報ビットの第２の部分組を生成することと、
　(a3)予め決められた一組の帯域幅自由度を少なくとも２つの帯域幅自由度の部分組にパーティショニングすることであって、各々の部分組は、複数の帯域幅自由度を含むことと、
　(a4)前記第１の部分組のブロードキャスト情報ビットの関数として帯域幅自由度の前記少なくとも２つの部分組から１つの帯域幅自由度の部分組を選択することと、
　(a5)前記選択された帯域幅自由度の部分組内の前記帯域幅自由度のうちの少なくとも１つを前記第２の部分組のブロードキャスト情報ビットの関数として選択することと、ここにおいて、該(a5)の前記第２の部分組のブロードキャスト情報ビットの関数は、該(a4)の前記第１の部分組のブロードキャスト情報ビットの関数とは異なる、
　(a6)前記少なくとも１つの選択された帯域幅自由度においてビーコン信号を送信すること、
　を具備する、方法。」
　
　
３．当審の拒絶理由
　
　一方、当審において平成２５年７月１１日付で通知した拒絶理由の概要は、本願発明は、本願の優先権主張の日前の２００５年１２月２９日に頒布された国際公開第２００５／１２５２３４号（以下「引用例１」という。）に記載された発明に基づいて当業者が容易に発明をすることができたものであるから、特許法第２９条第２項の規定により特許を受けることができない、というものである。
　
　
４．引用例
　
　引用例１（当審訳として、引用例１のファミリ文献である特表２００８−５０５５９１号公報の対応箇所を記載し、当審で下線を付与する）には、FIGURE 11とともに、
　
「Figure 11 illustrate another exemplary method of a non-coherent modulation scheme that may be used to modulate 5 first information bits (e.g. first paging information bits 266) of information messages (e.g., first paging signal messages) into first information signals. Drawing 1100 illustrates downlink frequency on axis 1102 divided between 32 tones (tone 0 1121, tone 1 1122, tone 2 1123, tone 3 1124, tone 4 1125, tone 5 1126, tone 6 1127, tone 7 1128, tone 8 1129, tone 9 1130, tone 10 1131, tone 11 1132, tone 12 1133, tone 13 1134, tone 14 1135, tone 15 1136, tone 16 1137, tone 17 1138, tone 18 1139, tone 19 1140, tone 20 1141, tone 21 1142, tone 22 1143, tone 23 1144, tone 24 1145, tone 25 1146, tone 26 1147, tone 27 1148, tone 28 1149, tone 29 1150, tone 30 1151, tone 31 1152.) The 32 tones are divided into seven tone subsets: tone sub-set 0 1161 (tones 0-4), tone sub-set 1 1162 (tones 4-7), tone sub-set 2 1163 (tones 8- 11), tone sub-set 3 1164 (tones 12-15), tone sub-set 4 1165 (tones 16-19), tone sub-set 5 1166 (tones 20-23), tone sub-set 6 (tones 24-27), and tone sub-set 7 (tones 28-31).
　In a given first paging message signal, one particular tone sub-set is transmitted while the tones in the 7 other tone sub-sets are not transmitted. This choice among the selection of 8 tone subsets conveys information bits (e.g., 3 first paging information bits). Each tone subset in Figure 11 is arranged so that the tones of the tone sub-set are physically contiguous tones. Then, by assuming that the wireless channel response does not vary too much from one tone to another physically contiguous tone, one can transmit additional information (e.g., 2 first paging information bits) by modulating information on the tones of any one tone subset. For example a differential modulation scheme or an orthogonal modulation scheme can be used in the contiguous tones of any tone subset. Figure 11 assumes that an orthogonal phase modulation scheme is used on the selected tone subset. The orthogonal phase modulation scheme of Figure 11 allows four possibilities for phase among the 4 contiguous tones of the selected (power transmission) tone sub-set: ++++, ++--, +-+-, and +--+, where + indicates 0 degrees phase and - indicates 180 degrees phase. Four examples of first paging message signals are shown in Figure 11. In exemplary first paging signal 1101, transmission power is applied to the four tones of first tone sub-set 0 1161 and not applied to the other 28 tones in the other 7 tone sub-sets; and the phase is set to ++++ for the four tones, 1121, 1122, 1123, 1124, respectively, as indicated in corresponding boxes 1171, 1172, 1173, 1174. In exemplary first paging signal 1103, transmission power is applied to the four tones of first tone sub-set 0 1161 and not applied to the other 28 tones in the other 7 tone sub-sets; and the phase is set to ++-- for the four tones, 1121, 1122, 1123, 1124, respectively, as indicated in corresponding boxes 1175, 1176, 1177, 1178. In exemplary first paging signal 1105, transmission power is applied to the four tones of first tone sub-set 0 1161 and not applied to the other 28 tones in the other 7 tone sub-sets; and the phase is set to +-+- for the four tones, 1121, 1122, 1123, 1124, respectively, as indicated in corresponding boxes 1179, 1180, 1181, 1182. In exemplary first paging signal 1107, power is applied to first tone sub-set 0 1161 and not applied to the other 28 tones in the other 7 tone subsets; and the phase is set to +--+ for the four tones, 1121, 1122, 1123, 1124, respectively, as indicated in corresponding boxes 1183, 1184, 1185, 1186. WTs 300 receiving the first paging signal do not need to establish a channel estimate, have knowledge of channel estimation, or rely on a history of channel conditions. The WTs 300 can wake-up at the appropriate times, receive first paging message signals for one OFDM symbol period (e.g., time interval 1104), perform an FFT, determine the tone sub-set of much higher power than the other tone sub-sets (obtaining 3 first paging message information bits), determine the phase for the four tones in the set, and make a best determination of which of the 4 code words has been transmitted (obtaining 2 additional first paging information bits).」（３３頁１４行〜３４頁２７行）
（当審訳：【００８４】〜【００８５】参照
　
図１１は情報メッセージ（例えば、第一ページング信号メッセージ)の五つの第一情報ビット（例えば、第一ページング情報ビット２６６)を第一情報信号へ変調するために使用される別の典型的な方法を例示する。
　
第一ページング・メッセージ信号において、一つの特定トーン部分集合が伝送され、その間他の七つのトーン部分集合は伝送されない。八つのトーン部分集合の選択におけるこの選択は情報ビット（例えば、三つの第一ページング情報ビット）を搬送する。
どのトーン部分集合のトーン上でも情報を変調することによって追加の情報（例えば、二つの第一ページング情報ビット）を伝送することができる。
図１１の直交位相変調手法は選択された（電力伝送）トーン部分集合の四つの連続するトーンの間の位相に関する可能性：＋＋＋＋、＋＋−−、＋−＋−、及び＋−−＋を許容する。
ＷＴ ３００は適切な時間に立上がり、１ＯＦＤＭシンボル期間（例えば、時間間隔１１０４）の第一ページング・メッセージ信号を受取り、ＦＦＴを行い、（三つの第一ページング・メッセージ情報ビットを得る）他のトーン部分集合よりも非常に高い電力のトーン部分集合を決定し、集合中の四つのトーンに関する位相を決定し、そして（追加の第一ページング情報ビットを得る）四つの符号語のいずれが伝送されたかについて最良の決定を行う。
　
の記載があるから、
　
「第一ページング信号メッセージの五つの第一情報ビットを第一情報信号へ変調するために使用される別の典型的な方法であって、
　第一ページング・メッセージ信号において、３２個のトーンは八つのトーン部分集合に分割され、
　一つの特定トーン部分集合が伝送され、その間他の七つのトーン部分集合は伝送されず、
　八つのトーン部分集合の選択におけるこの選択は三つの第一ページング情報ビットを搬送し、
　どのトーン部分集合のトーン上でも情報を変調することによって追加の二つの第一ページング情報ビットを伝送し、
直交位相変調手法は選択されたトーン部分集合の四つの連続するトーンの間の位相に関する可能性：＋＋＋＋、＋＋−−、＋−＋−、及び＋−−＋を許容し、
　ＷＴ　３００は適切な時間に立上がり、１ＯＦＤＭシンボル期間の第一ページング・メッセージ信号を受取り、ＦＦＴを行い、他のトーン部分集合よりも非常に高い電力のトーン部分集合を決定して三つの第一ページング・メッセージ情報ビットを得て、集合中の四つのトーンに関する位相を決定して、四つの符号語のいずれが伝送されたかについて最良の決定を行って追加の第一ページング情報ビットを得る
　方法」
　
の発明が引用例１に記載されている。（以下「引用発明」という）
　
　
５．本願発明と引用発明の対比
　
　引用発明において、「第一ページング・メッセージ信号」は「ブロードキャスト情報」であって「ビーコン信号」であり、
　引用発明の「トーン部分集合」は、本願発明の「帯域幅自由度の部分組」に、
　引用発明の「三つの第一ページング情報ビット」は、本願発明の「ブロードキャスト情報ビットの第１の部分組」に、
　引用発明の「追加の二つの第一ページング情報ビット」は、本願発明の「ブロードキャスト情報ビットの第２の部分組」に、
　それぞれ相当する。
　
　また、引用発明において、「８つのトーン部分集合」と「四つの連続するトーンの間の位相に関する可能性」は、それぞれ「予め定められた帯域幅自由度」であるから、「８つのトーン部分集合」と「四つの連続するトーンの間の位相に関する可能性」からなる「３２個のトーン」は「予め定められた一組の帯域幅自由度」である。
　
　そして五つの第一情報ビットを、三つの第一ページング情報ビットと、追加の二つの第一ページング情報ビットの２つに分割しているから、それぞれの部分組を「生成」しているといえる。
　
　さらに、本願発明の「該(a5)の前記第２の部分組のブロードキャスト情報ビットの関数は、該(a4)の前記第１の部分組のブロードキャスト情報ビットの関数とは異なる」は、その文言から見て必ずしも明確ではないが、平成２５年１２月１６日付けの意見書によれば、【００９０】の「第１の部分組のブロードキャスト情報は、ビーコン信号がいずれの帯域幅部分組（例えば、ブロック）を用いなければならないかを選択するために符号化され、第２の部分組のブロードキャスト情報は、ビーコン信号が選択された帯域幅部分組内においていずれの自由度を用いなければならないかを決定する。」及び【００９６】の「２つ以上の帯域幅部分組のうちのいずれの１つを使用するかを決定すること、及び１４０４において選択された帯域幅部分組内のいずれの自由度がビーコンシンボルを送信するかを決定することは、独立して行うことができる。」をその根拠としているから、「第１の部分組のブロードキャスト情報」が「いずれの帯域幅部分組」を選択する関数と、「第２の部分組のブロードキャスト情報」が「選択された帯域幅部分組内においていずれの自由度を用いなければならないか」を選択する関数が独立であることを意図していると解される。
　ここで、引用発明の「三つの第一ページング情報ビット」が「８つのトーン部分集合」という帯域幅部分組を選択する関数は「トーンを選択」する関数であり、「追加の二つの第一ページング情報ビット」が「四つの連続するトーンの間の位相」を選択する関数は選択したトーンの「位相を選択」する関数であるから、互いに独立した異なる関数である。
　つまり、「追加の二つの第一ページング情報ビット」が「位相を選択」する関数は、「三つの第一ページング情報ビット」が「トーンを選択」する関数とは独立の関数であるから、「第２の部分組のブロードキャスト情報ビットの関数は、第１の部分組のブロードキャスト情報ビットの関数とは異なる」といえる。
　
したがって、本願発明と引用発明は、
　
「(a1)予め決められた一組の帯域幅自由度を用いてブロードキャスト情報ビットを送信する方法であって、
　(a2)複数のブロードキャスト情報ビットからブロードキャスト情報ビットの第１の部分組及びブロードキャスト情報ビットの第２の部分組を生成することと、
　(a3)予め決められた一組の帯域幅自由度を少なくとも２つの帯域幅自由度の部分組にパーティショニングすることであって、各々の部分組は、複数の帯域幅自由度を含むことと、
　(a4)前記第１の部分組のブロードキャスト情報ビットの関数として帯域幅自由度の前記少なくとも２つの部分組から１つの帯域幅自由度の部分組を選択することと、
　(a5)前記選択された帯域幅自由度の部分組内の前記帯域幅自由度のうちの少なくとも１つを前記第２の部分組のブロードキャスト情報ビットの関数として選択することと、ここにおいて、該(a5)の前記第２の部分組のブロードキャスト情報ビットの関数は、該(a4)の前記第１の部分組のブロードキャスト情報ビットの関数とは異なる、
　(a6)前記少なくとも１つの選択された帯域幅自由度においてビーコン信号を送信すること、
　を具備する、方法。」
　
で一致し、
　
相違点
　送信するブロードキャスト情報ビットに関し、本願発明は、「一組」のブロードキャスト情報ビットであるのに対し、引用発明では「五つの第一情報ビット」であるが、「一組」であるかどうか不明である点。
　
で相違する。
　
　
６．当審の判断
　
相違点について、
　
　引用例１には
「First paging signal system information 246 includes tone information 262, modulation information 264, first paging information bits 266, WT association information 268, and timing information 270. Tone information 268 defines the tones to be used in the first paging signals. Tone information 268 may also define subsets of the tones. In some embodiments, each tone subset may include contiguous physical tones, and a first paging signal is transmitted with transmission power applied to one subset of tones while no transmission power is applied to the other subsets of tones. By using a subset of contiguous tones including a few tones, assuming that the channel doesn't vary too much between the tones of the subset, it may be possible to recover data on the tones without performing a channel estimate in some cases where noncoherent modulation is used. The modulation information 264 may include information used by the first paging signal module 238 to control operation of the first modulation module 220 to implement a selected non-coherent modulation scheme (s) modulate the information of the first paging signal messages 252 and transmit the first paging signals, in accordance with the present invention. Exemplary non-coherent modulation schemes may include on/off modulation, orthogonal modulation, and differential modulation. The non-coherent modulation schemes implemented may use code words and may utilize phase information as well as amplitude information depending on the non-coherent modulation method that is used. First paging information bits 266 include the information bits in a first paging signal message 252. First page information bits 266 may include group identification (ID) bits and extension bits. Group ID bits may include a number of bits in a first paging signal message 252 which may be modulated to convey which specific group, if any, has a member that is being paged by the first paging signal message 252. Extension bits may include bits which may be set in a first paging signal message 252 to indicate that WTs within a group with a page should look for a second paging signal message 254 at a time usually associated with a different group. Extension bits may be used where multiple WTs within a single group need to be paged at the same time, and the normally used second paging signal message 254, at the predetermined time, does not have sufficient capacity to carry the information. WT association information 268 includes information enabling BS 200 to associate each individual WT that may receive pages (e.g., a WT with a unique IP address 290) with a group identified by the group ID bits. Timing information 270 includes information defining when to transmit first paging signal messages 252 to WTs. For example, timing information 270 may define the specific OFDM symbol period(s) within the super slot for first paging message signal transmissions, a paging interval segment (e.g., repeat interval between successive first paging signals), a paging interval (e.g., a repeat interval between two successive wake-up periods for a paging group) and/or beacon slots used for transmission timing control of first paging signals. Because the WT battery power consumption in each wake-up period is very little, in the current invention, the paging system can employ a relatively small paging cycle, e.g. around 100 milli-seconds, to reduce paging latency, while keeping the overall battery power consumption of WTs low.」（９頁１５行〜１０頁１９行）
（当審訳：【００２６】参照。下線は当審が付与
「第一ページング信号システム情報２４６はトーン情報２６２、変調情報２６４、第一ページング情報ビット２６６、ＷＴ関連情報２６８、及びタイミング情報２７０を含む。トーン情報２６２は第一ページング信号において使用されるトーンを定義する。トーン情報２６２はまたトーンの部分集合を定義する。いくつかの実施例において、各トーン部分集合は連続する物理的トーンを含み、第一ページング信号はトーンの一つの部分集合に印加される伝送電力によって伝送され、一方トーンの他の部分集合には伝送電力は印加されない。二、三のトーンを含む連続するトーンの部分集合を使用することによって、チャネルがトーンの部分集合間でさほど多く変化しないと仮定すれば、非同期変調が使用されるいくつかの場合にはチャネル推定を行わなずにトーンのデータを再生することは可能である。変調情報２６４は本発明に従って第一ページング信号メッセージ２５２の情報を変調し、第一ページング信号を伝送するため選択された非同期変調手法を実施する第一変調モジュール２２０の動作を制御する第一ページング信号モジュール２３８によって使用される情報を含む。典型的な非同期変調手法はオン／オフ変調、直交変調、及び差分変調を含む。非同期変調手法は符号語（code words）を使用し、使用される非同期変調方法によって振幅情報と同様に位相情報を利用する。
第一ページング情報ビット２６６は第一ページング信号メッセージ２５２の中に情報ビットを含む。第一ページング情報ビット２６６は群識別（ＩＤ）ビット及び拡張ビットを含む。
　
「First paging information bits 356 include the information bits in a received first paging signal message 344. First page information bits 356 normally include one or more group ID bits and, optionally, extension bits. Group ID bits indicate which specific group, if any, has a member that is being paged by the received first paging signal message 344. The Group ID bits may be a pre-selected number of bits used at the start of each WT identifier assigned to a WT in the group, e.g., a set of mask bits corresponding to the first n bits of the IP addresses assigned to the WTs in the group. Thus, in such an embodiment, the Group ID bits may be a pre-selected number of bits, where each set of Group ID bits is a unique pattern of a pre-selected number of bits at the start of a WT identifier, e.g., a set of mask bits, where each mask bit corresponds to a unique pattern (relative to the other Group ID bits) of the first n bits of an WT IP address. Extension bits may include bits which may be set in a first paging message to indicate that WTs 300 within a group should look for a second paging message at a time usually associated with a different group. Extension bits may be used where multiple WTs 300 within a single group need to be paged at the same time, and the normally used second paging message, at the predetermined time, does not have sufficient capacity to carry the information.」（１５頁８〜２２行）
（当審訳：【００３６】参照。下線は当審が付与
第一ページング情報ビット３５６は受信第一ページング信号メッセージ中に情報ビットを含む。第一ページ情報ビット３５６は通常一以上の群ＩＤビット及び選択的に拡張ビットを含む。
　
　の記載がある。
　
　すなわち、「第一ページング情報ビット」は「ブロードキャスト情報ビット」であり、「第一ページング情報ビット」は「一以上の群ＩＤビット」と選択的に「拡張ビット」を含むから、「ブロードキャスト情報ビット」を、「一以上の群ＩＤビット」と「拡張ビット」の「組」で構成することは周知技術である。
　よって、引用発明の「ブロードキャスト情報ビット」である「五つの第一情報ビット」として、周知技術のように拡張ビットを含む「一組」のブロードキャスト情報ビットから構成されるような情報ビットとすることは容易と認められる。
　
　
７．むすび
　
　したがって、本願は、当審で通知した上記拒絶の理由によって拒絶をすべきものである。
　よって、結論のとおり審決する。